(57)【要約】【課題】画像強調方法を提供する。【解決手段】第１の変換回路を介して、ウェーブレット変換によって、原画像信号を高周波画像信号及び低周波画像信号に分離する工程と、また、第２の変換回路を介して、ウェーブレット変換によって、高周波画像信号を高周波分離信号及び中高周波分離信号に分離し、且つ、第３の変換回路を介して、ウェーブレット変換によって、低周波画像信号を中低周波分離信号及び低周波分離信号に分離する工程と、高周波強調回路を介して、高周波分離信号に対して強調処理を行って、画像のシャープネスを向上させる強調高周波分離信号を発生する工程と、最後に、逆変換回路を介して、逆ウェーブレット変換によって、強調高周波分離信号、中高周波分離信号、中低周波分離信号及び低周波分離信号を強調画像信号に統合する工程と、を含む。【選択図】図１
2020009436.tif 000002
【特許請求の範囲】
【請求項１】
第１の変換回路を介して、ウェーブレット変換によって、原画像信号を高周波画像信号及び低周波画像信号に分離する工程と、
第２の変換回路を介して、ウェーブレット変換によって、前記高周波画像信号を高周波分離信号及び中高周波分離信号に分離する工程と、
第３の変換回路を介して、ウェーブレット変換によって、前記低周波画像信号を中低周波分離信号及び低周波分離信号に分離する工程と、
高周波強調回路を介して、前記高周波分離信号に対して強調処理を行って、強調高周波分離信号を発生する工程と、
逆変換回路を介して、逆ウェーブレット変換によって、前記強調高周波分離信号、前記中高周波分離信号、前記中低周波分離信号及び前記低周波分離信号を強調画像信号に統合する工程と、
を含む画像強調方法。
【請求項２】
前記高周波分離信号に対して強調処理を行うことは、
前記高周波分離信号に強調係数を掛けて前記強調高周波分離信号を発生することを含む請求項１に記載の画像強調方法。
【請求項３】
前記高周波分離信号に対して強調処理を行うことは、
前記高周波分離信号に対してフィルタリング処理を行って前記強調高周波分離信号を発生することを含む請求項１に記載の画像強調方法。
【請求項４】
前記高周波分離信号に対してフィルタリング処理を行うことは、
ガウシアンフィルタリング、バイラテラルフィルタリング、メディアンフィルタリング又は隣接ピクセル平均法を介してフィルタリング処理を行うことを含む請求項３に記載の画像強調方法。
【請求項５】
低周波強調回路を介して、前記低周波分離信号に対して強調処理を行って、強調低周波分離信号を発生する工程と、
前記逆変換回路を介して、逆ウェーブレット変換によって、前記強調高周波分離信号、前記中高周波分離信号、前記中低周波分離信号及び前記強調低周波分離信号を前記強調画像信号に統合する工程と、
を更に含む請求項１に記載の画像強調方法。
【請求項６】
前記低周波分離信号に対して強調処理を行うことは、
アンシャープマスキング、ラプラシアンシールド又は高周波フィルタリングを介して強調処理を行うことを含む請求項５に記載の画像強調方法。
【請求項７】
第４の変換回路を介して、前記強調高周波分離信号及び前記中高周波分離信号に対して逆ウェーブレット変換を行って、逆高周波信号を発生する工程と、
第５の変換回路を介して、前記中低周波分離信号及び前記低周波分離信号に対して逆ウェーブレット変換を行って、逆低周波信号を発生する工程と、
第６の変換回路を介して、前記逆高周波信号及び前記逆低周波信号に対して逆ウェーブレット変換を行って、前記逆高周波信号及び前記逆低周波信号を統合して前記強調画像信号を出力する工程と、
を更に含む請求項１〜６の何れか１項に記載の画像強調方法。
【請求項８】
原画像信号を受信し、ウェーブレット変換によって、前記原画像信号を高周波画像信号及び低周波画像信号に分離することに用いられる第１の変換回路と、
前記第１の変換回路に電気的に接続され、前記高周波画像信号を受信し、ウェーブレット変換によって、前記高周波画像信号を高周波分離信号及び中高周波分離信号に分離することに用いられる第２の変換回路と、
前記第１の変換回路に電気的に接続され、前記低周波画像信号を受信し、ウェーブレット変換によって、前記低周波画像信号を中低周波分離信号及び低周波分離信号に分離することに用いられる第３の変換回路と、
前記第２の変換回路に電気的に接続され、前記高周波分離信号を受信し、前記高周波分離信号に対して強調処理を行って、強調高周波分離信号を発生することに用いられる高周波強調回路と、
前記第２の変換回路、前記第３の変換回路及び前記高周波強調回路に電気的に接続され、前記強調高周波分離信号、前記中高周波分離信号、前記中低周波分離信号及び前記低周波分離信号を受信することに用いられ、これにより強調画像信号を出力する逆変換回路と、
を含む画像強調回路。
【請求項９】
前記高周波強調回路は、高周波フィルタリングユニットを含み、ガウシアンフィルタリング、バイラテラルフィルタリング、メディアンフィルタリング又は隣接ピクセル平均法を介して、前記高周波分離信号に対してフィルタリング処理を行って前記強調高周波分離信号を発生することに用いられる請求項８に記載の画像強調回路。
【請求項１０】
低周波強調回路を更に含み、前記低周波強調回路が前記第３の変換回路に電気的に接続され、前記低周波分離信号を受信し、前記低周波分離信号に対して強調処理を行って、強調低周波分離信号を発生することに用いられる請求項８に記載の画像強調回路。
【請求項１１】
前記低周波強調回路は、アンシャープマスキング、ラプラシアンシールド又は高周波フィルタリングを介して、前記低周波分離信号に対して強調処理を行って前記強調低周波分離信号を発生することに用いられる低周波フィルタリングユニットを含む請求項１０に記載の画像強調回路。
【請求項１２】
前記逆変換回路は、
前記第２の変換回路及び前記高周波強調回路に電気的に接続され、前記強調高周波分離信号及び前記中高周波分離信号を受信し、逆ウェーブレット変換によって、逆高周波信号を出力することに用いられる第４の変換回路と、
前記第３の変換回路に電気的に接続され、前記中低周波分離信号及び前記低周波分離信号を受信し、逆ウェーブレット変換によって、逆低周波信号を出力することに用いられる第５の変換回路と、
前記第４の変換回路及び前記第５の変換回路に電気的に接続され、前記逆高周波信号及び前記逆低周波信号を受信し、前記逆高周波信号及び前記逆低周波信号を統合して前記強調画像信号を出力することに用いられる第６の変換回路と、
を含む請求項８〜１１の何れか１項に記載の画像強調回路。
【請求項１３】
前記第１の変換回路、前記第２の変換回路及び前記第３の変換回路がウェーブレット変換を行うことを制御することに用いられる第１のコントローラと、
前記第１のコントローラからの第１の制御信号を受信することに用いられ、これにより第１のアドレス信号を発生し、前記第２の変換回路及び前記第３の変換回路が前記第１のアドレス信号によってウェーブレット変換を行う第１のアドレスジェネレータと、
を更に含む請求項８〜１２の何れか１項に記載の画像強調回路。
【請求項１４】
前記第４の変換回路、前記第５の変換回路及び前記第６の変換回路が逆ウェーブレット変換を行うことを制御することに用いられる第２のコントローラと、
前記第２のコントローラからの第４の制御信号を受信することに用いられ、これにより第２のアドレス信号を発生する第２のアドレスジェネレータと、
を更に含み、
前記第４の変換回路及び前記第５の変換回路は前記第２のコントローラからの第５の制御信号によって逆ウェーブレット変換を行って、前記第６の変換回路は前記第２のアドレスジェネレータからの前記第２のアドレス信号及び前記第２のコントローラからの第６の制御信号によって逆ウェーブレット変換を行う請求項１２に記載の画像強調回路前記逆変換回路。
【発明の詳細な説明】
【技術分野】
【０００１】
本開示内容は、画像強調回路に関し、特に大きなサイズの表示画像に投影した後に表示画像がぼやけやすくなるという問題を改善することができるものに関する。
【背景技術】
【０００２】
近年、消費者向けマルチメディア製品の普及に伴って、画像表示の品質は製品の購入において消費者にとって大きな考慮事項となっており、画像処理技術もまた業界における重要なプロジェクトの１つである。「画像強調」は、画像をより鮮明に見せるための画像処理における非常に一般的な機能である。フラットパネルディスプレイやプロジェクターなどのさまざまなマルチメディア製品であるかどうかにかかわらず、「画像強調」は最も重要なコア機能である。したがって、画像強調回路及びその処理方法は、マルチメディア製品の製造コスト及び表示性能に直接影響をあたえることになる。
【発明の概要】
【０００３】
本開示内容の一態様は、画像強調方法に関し、以下の工程を含む。第１の変換回路を介して、ウェーブレット変換によって原画像信号を高周波画像信号及び低周波画像信号に分離する。第２の変換回路を介して、ウェーブレット変換によって高周波画像信号を高周波分離信号及び中高周波分離信号に分離する。第３の変換回路を介して、ウェーブレット変換によって低周波画像信号を中低周波分離信号及び低周波分離信号に分離する。高周波強調回路を介して、高周波分離信号に対して強調処理を行って、画像のシャープネスを向上させる強調高周波分離信号を発生することに用いられる。逆変換回路を介して、逆ウェーブレット変換によって強調高周波分離信号、中高周波分離信号、中低周波分離信号及び低周波分離信号を強調画像信号に統合する。
【０００４】
本開示内容の別の態様は、画像強調回路に関し、第１の変換回路、第２の変換回路、第３の変換回路、高周波強調回路及び逆変換回路を含む。第１の変換回路は、原画像信号を受信し、ウェーブレット変換によって原画像信号を高周波画像信号及び低周波画像信号に分離することに用いられる。第２の変換回路は、第１の変換回路に電気的に接続され、高周波画像信号を受信し、ウェーブレット変換によって高周波画像信号を高周波分離信号及び中高周波分離信号に分離することに用いられる。第３の変換回路は、第１の変換回路に電気的に接続され、低周波画像信号を受信し、ウェーブレット変換によって、低周波画像信号を中低周波分離信号及び低周波分離信号に分離することに用いられる。高周波強調回路は、第２の回路に電気的に接続され、高周波分離信号を受信し、高周波分離信号に対して強調処理を行うことに用いられて、画像のシャープネスを向上させる強調高周波分離信号を発生する。逆変換回路は、第２の変換回路、第３の変換回路及び高周波強調回路に電気的に接続され、強調高周波分離信号、中高周波分離信号、中低周波分離信号及び低周波分離信号を受信することに用いられ、これにより強調画像信号を出力する。
【図面の簡単な説明】
【０００５】
【図１】本開示内容の一部の実施例によって示される画像強調回路の模式図である。
【図２】本開示内容の一部の実施例によって示される投影設備の模式図である。
【図３】本開示内容の一部の実施例によって示される逆変換回路の模式図である。
【図４】本開示内容の一部の実施例によって示される画像強調方法のフロー図である。
【発明を実施するための形態】
【０００６】
以下、図面で本発明の複数の実施形態を説明する。明らかに説明するために、下記で多くの実際の細部を合わせて説明する。しかしながら、理解すべきなのは、これらの実際の細部が、本発明を制限するためのものではない。つまり、本開示内容の実施形態の一部において、これらの実際の細部は、必ずしも必要ではない。また、図面を簡略化するために、ある従来慣用の構造及び素子については、図面において簡単で模式的に示される。
【０００７】
本文において、ある素子が「接続」又は「結合」されると言われる場合、「電気的な接続」又は「電気的結合」を指すこともある。「接続」又は「結合」は、２つ又は複数の素子同士の互いの協力操作や対話を表すことに用いてもよい。また、本文では、「第１の」、「第２の」等の用語を使用して異なる素子を説明するが、前記用語は単に同じ技術用語で説明する素子又は操作を区別するためのものである。上下文で明記されない限り、前記用語は、順番や順位を特に指し又は示唆するものでもなく、本発明を限定するものでもない。
【０００８】
図１を参照して、本開示内容の一部の実施例によって示される画像強調回路１００の模式図である。画像強調回路１００は、第１の変換回路１１０、第２の変換回路１２０、第３の変換回路１３０、高周波強調回路１４０及び逆変換回路３００を含む。
【０００９】
図２を参照して、一部の実施例において、画像強調回路１００は、投影設備２００内に設けられ、原画像信号Ｓｏを受信し、強調画像信号Ｓｅを投影設備２００内のプロセッサー２１０に出力することに用いられ、これによって、プロセッサー２１０が投影装置２２０を駆動して、画像画面を投影する。一部の実施例において、投影装置２２０は、デジタルマイクロミラー素子（Ｄｉｇｉｔａｌ  Ｍｉｃｒｏｍｉｒｒｏｒ  Ｄｅｖｉｃｅ、ＤＭＤと略称する）を含んでよい。他の一部の実施例において、投影設備２００は、液晶プロジェクターであってよい。当業者がＤＭＤ投影又は液晶投影の技術的原理を理解することができ、したがって、投影装置の構造は、本明細書でさらに説明されることはない。本開示内容は、原画像信号Ｓｏに対して強調処理を行う方法に焦点を合わせて、投影装置の投影品質を向上させる。
【００１０】
他の一部の実施例において、画像強調回路１００は、投影設備２００の外に設けられてよく、例えば、画像強調回路１００は、電子設備に設けられてよく、有線又は無線で強調画像信号Ｓｅを投影設備２００に伝送する。一部の実施例において、画像強調回路１００は、フラットパネルディスプレイ又はさまざまなマルチメディア製品に適用されてよい。
【００１１】
一部の実施例において、原画像信号Ｓｏ及び強調画像信号Ｓｅは、例えば、４Ｋ画像信号のような低解像度の画像信号であってよい。投影設備２００のプロセッサー２１０は、二重変調（Ｄｕａｌ−Ｍｏｄｕｌａｔｉｏｎ）技術又はピクセルシフト（ｐｉｘｅｌ−ｓｈｉｆｔｉｎｇ）技術によって、例えば、８Ｋ画像のような高解像度の画像画面を出力することができる。当業者は、二重変調、ピクセルシフトの技術的原理を理解することができるので、ここでは繰り返して説明しない。
【００１２】
第１の変換回路１１０は、原画像信号Ｓｏを受信し、ウェーブレット変換によって、原画像信号Ｓｏを高周波画像信号Ｓｈ及び低周波画像信号Ｓｌに分離することに用いられる。ウェーブレット変換（ｗａｖｅｌｅｔ  ｔｒａｎｓｆｏｒｍ）は、ウェーブレット分解（ｗａｖｅｌｅｔ  ａｎａｌｙｓｉｓ）とウェーブレット合成（ｗａｖｅｌｅｔ  ｓｙｎｔｈｅｓｉｓ）を組み合わせた解析技術である。ウェーブレット変換を行う時に、原画像信号Ｓｏを一貫性データと変動性データとを含むように見なされ、例として、風景画像において、背景の空の青い領域は、原画像信号Ｓｏにおける一貫性データに等しい。画像内の対象物の輪郭は、色の大きな違い又は同時に多色ドーピングのために変動性データに属する。ウェーブレット変換は、低周波フィルタリングを介して、原画像信号Ｓｏにおける一貫性データを保留し、高周波フィルタリングを介して、原画像信号Ｓｏにおける変動性データを保留する。当業者は、ウェーブレット変換を実現する回路構造を理解することができるので、ここでは繰り返して説明しない。
【００１３】
第２の変換回路１２０は、第１の変換回路１００に電気的に接続され、高周波画像信号Ｓｈを受信することに用いられる。第２の変換回路１２０も同様にウェーブレット変換によって、高周波画像信号Ｓｈを高周波分離信号Ｓｈｈ及び中高周波分離信号Ｓｈｌに分離することができる。第３の変換回路１３０は、第１の変換回路１１０に電気的に接続され、低周波画像信号Ｓｌを受信することに用いられる。第３の変換回路１３０も同様にウェーブレット変換によって、低周波画像信号Ｓｌを中低周波分離信号Ｓｌｈ及び低周波分離信号Ｓｌｌに分離することができる。
【００１４】
一部の実施例において、第１の変換回路１１０は、原画像信号Ｓｏに対して、１次の一次元ウェーブレット変換を行う。即ち、原画像信号Ｓｏを高周波部分（高周波画像信号Ｓｈ）及び低周波部分（低周波画像信号Ｓｌ）に分離する。第２の変換回路１２０及び第３の変換回路１３０は、それぞれ高周波画像信号Ｓｈ及び低周波画像信号Ｓｌに対して、２次の二次元ウェーブレット変換を行う。例として、第１の変換回路１１０は、原画像信号Ｓｏにおける各列のピクセルを一連の画像シーケンスと見なされ、１次のウェーブレット変換を行って、高周波画像信号Ｓｈ及び低周波画像信号Ｓｌを発生する。第２の変換回路１２０は、高周波画像信号Ｓｈの各行のピクセルを一連の画像シーケンスと見なされ、２次のウェーブレット変換を行って、二次元ウェーブレット変換後の高周波分離信号Ｓｈｈ及び中高周波分離信号Ｓｈｌを発生することができる。同様に、第３の変換回路１３０は、低周波画像信号Ｓｌの各行ピクセルを一連の画像シーケンスと見なされ、２次のウェーブレット変換を行って、二次元ウェーブレット変換後の中低周波分離信号Ｓｌｈ及び低周波分離信号Ｓｌｌを発生する。
【００１５】
高周波強調回路１４０は、第２の回路１２０に電気的に接続され、高周波分離信号Ｓｈｈを受信することに用いられる。高周波強調回路１４０は、高周波分離信号Ｓｈｈに対して強調処理を行って、強調高周波分離信号Ｓｅ１を発生する。画像合成において、高周波信号は所定の狭い範囲内で階調値の変化が大きい部分を表す。したがって、高周波強調回路１４０による強調高周波分離信号Ｓｅ１は、シャープネスを向上させる効果を有する。逆変換回路３００は、第２の変換回路１２０、第３の変換回路１３０及び高周波強調回路１４０に電気的に接続され、強調高周波分離信号Ｓｅ１、中高周波分離信号Ｓｈｌ、中低周波分離信号Ｓｌｈ及び低周波分離信号Ｓｌｌを受信することに用いられ、これにより強調画像信号を出力する。
【００１６】
本開示内容は、二段階のウェーブレット変換を介して、二次元且つ周波数が異なる信号（即ち、高周波分離信号Ｓｈｈ、中高周波分離信号Ｓｈｌ、中低周波分離信号Ｓｌｈ、低周波分離信号Ｓｌｌ）を分離して、また周波数が最高の高周波分離信号Ｓｈｈに対して強調処理を行って、これにより、画像画面の明瞭さとシャープネスを強調できて、投影設備２００が大きなサイズの画像画面を投射する時に、画面内のオブジェクトの輪郭がぼかしの問題を引き起こさない。また、ウェーブレット変換は、原画像信号Ｓｏの高周波、低周波部分を分離できるというメリットに加え、回路構造がコンパクトである特性を有し、画像強調回路１００の生産コストを確保し、全体の体積を小さくすることができる。
【００１７】
一部の実施例において、高周波強調回路１４０は、高周波分離信号Ｓｈｈに強調係数（例えば、１倍、２倍、倍数は、正整数であってもよく、任意の係数であってもよい）を掛けて強調高周波分離信号Ｓｅ１を発生して、強調画像信号のシャープネスを向上させる。しかしながら、強調処理の方式はこれに限定されない。他の一部の実施例において、高周波強調回路１４０は、高周波分離信号Ｓｈｈに対してフィルタリング処理を行って強調高周波分離信号Ｓｅ１を発生する。例として、高周波強調回路１４０は、高周波フィルタリングユニット１４０ａを含む。高周波フィルタリングユニット１４０ａは、ガウシアンフィルタリング、バイラテラルフィルタリング、メディアンフィルタリング又は隣接ピクセル平均法を介して、高周波分離信号Ｓｈｈに対してフィルタリング処理を行って強調高周波分離信号Ｓｅ１を発生することに用いられる。
【００１８】
一部の実施例において、画像強調回路１００は、低周波強調回路１５０を更に含む。低周波強調回路１５０は、第３の変換回路１３０及び逆変換回路３００に電気的に接続され、低周波分離信号Ｓｌｌを受信し、低周波分離信号Ｓｌｌに対して強調処理を行って、強調低周波分離信号Ｓｅ２を発生することに用いられる。逆変換回路３００は、強調低周波分離信号Ｓｅ２を受信し、逆ウェーブレット変換によって、強調高周波分離信号Ｓｅ１、中高周波分離信号Ｓｈｌ、中低周波分離信号Ｓｌｈ及び強調低周波分離信号Ｓｅ２を強調画像信号に統合する。
【００１９】
一部の実施例において、低周波強調回路１５０は、アンシャープマスキング、ラプラシアンシールド又は高周波フィルタリングを介して、低周波分離信号Ｓｌｌに対して強調処理を行って強調低周波分離信号Ｓｅ２を発生することに用いられる低周波フィルタリングユニット１５０ａを含む。低周波分離信号Ｓｌｌに対して強調処理を行うことを介して、更に強調画像信号の明瞭さとシャープネスを向上させることができる。
【００２０】
一部の実施例において、画像強調回路１００は、第１の一時スイッチＲｓ１、第１のコントローラ１６０、第１のアドレスジェネレータ１７０及び複数のレジスタＲ１〜Ｒ４を更に含む。第１の一時スイッチＲｓ１は、原画像信号Ｓｏを第１の変換回路１１０に伝送することに用いられる。第１のコントローラ１６０は、第１の変換回路１１０、第２の変換回路１２０及び第３の変換回路１３０がウェーブレット変換を行うことを制御することに用いられる。アドレスジェネレータ１７０は、第１のコントローラ１６０からの制御信号を受信することに用いられ、これによりアドレス信号を発生し、第２の変換回路１２０及び第３の変換回路１３０がアドレス信号によってウェーブレット変換を行う。
【００２１】
一部の実施例において、第１のコントローラ１６０は、第１のイネーブル信号Ｅｎ１を受信し、また第１のイネーブル信号Ｅｎ１によって、第１の制御信号Ｃｏｎ１を第１のアドレスジェネレータ１７０に出力し、第２の制御信号Ｃｏｎ２を第１の変換回路１１０に出力し、及び第３の制御信号Ｃｏｎ３を第２の変換回路１２０及び第３の変換回路１３０に出力することに用いられる。第１の変換回路１１０は、第２の制御信号Ｃｏｎ２によって１次のウェーブレット変換を行い、出力された高周波分離信号Ｓｈｈ及び中高周波分離信号ＳｈｌをレジスタＲ１に記憶する。アドレスジェネレータ１７０は、第１の制御信号Ｃｏｎ１によって第１のアドレス信号Ａｄｄ１を出力し、第１のアドレス信号Ａｄｄ１が順にレジスタＲ１、Ｒ２、Ｒ３を介して、第２の変換回路１２０及び第３の変換回路１３０に伝送される。
【００２２】
一部の実施例において、第１のアドレス信号Ａｄｄ１は、読み書き信号を含み、第１の変換回路１１０の現在の演算されるピクセル位置を記録することに用いられて、これにより、第１の変換回路１１０が原画像信号Ｓｏの各列のピクセルに対してウェーブレット分析を行った後で、レジスタＲ１がそれぞれ低周波、高周波の信号に対して高周波画像信号Ｓｈ及び低周波画像信号Ｓｌを統合することができる。第２の変換回路１２０及び第３の変換回路１３は、第３の制御信号Ｃｏｎ３及び第１のアドレス信号Ａｄｄ１によって、２次のウェーブレット変換を行う。第３の変換回路１３は、またレジスタＲ４を介して、フィードバック信号を第１の一時スイッチＲｓ１に伝送することができ、これにより第１の一時スイッチＲｓ１は原画像信号Ｓｏにおける１フレーム画面が既にウェーブレット変換を変換したことを確認する。
【００２３】
逆変換回路３００は、強調高周波分離信号Ｓｅ１、中高周波分離信号Ｓｈｌ、中低周波分離信号Ｓｌｈ及び強調低周波分離信号Ｓｅ２（又は低周波分離信号Ｓｌｌ）を統合するように、逆ウェーブレット変換を行うことに用いられて、したがって、逆変換回路３００の構造が第１の変換回路１１０、第２の変換回路１２０、第３の変換回路１３０に対応する。
【００２４】
図３を参照して、本開示内容の一部の実施例によって示される逆変換回路３００の模式図である。一部の実施例において、逆変換回路３００は、第４の変換回路３１０、第５の変換回路３２０及び第６の変換回路３３０を含む。第４の変換回路３１０は、第２の変換回路１２０及び高周波強調回路１４０に電気的に接続され、強調高周波分離信号Ｓｅ１及び中高周波分離信号Ｓｈｌを受信することに用いられる。第４の変換回路３１０は、逆ウェーブレット変換によって、強調高周波分離信号Ｓｅ１及び中高周波分離信号Ｓｈｌを統合して逆高周波信号Ｓｉｈを出力する。第５の変換回路３２０は、第３の変換回路１３０に電気的に接続され、中低周波分離信号Ｓｌｈ及び低周波分離信号Ｓｌｌを受信することに用いられる。第５の変換回路３２０は、逆ウェーブレット変換によって、中低周波分離信号Ｓｌｈ及び低周波分離信号Ｓｌｌを統合して逆低周波信号Ｓｉｌを出力する。
【００２５】
第６の変換回路３３０は、第４の変換回路３１０及び第５の変換回路３２０に電気的に接続され、逆高周波信号Ｓｉｈ及び逆低周波信号Ｓｉｌを受信することに用いられる。第６の変換回路３３０は、逆高周波信号Ｓｉｈ及び逆低周波信号Ｓｉｌを統合して、強調画像信号Ｓｅを出力する。
【００２６】
他の一部の実施例において、逆変換回路３００は、第２のコントローラ３４０、第２のアドレスジェネレータ３５０、第２の一時スイッチＲｓ２及び複数のレジスタＲ５、Ｒ６、Ｒ７を更に含む。第２のコントローラ３４０は、第４の変換回路３１０、第５の変換回路３２０及び第６の変換回路３３０が逆ウェーブレット変換を行うことを制御することに用いられる。第２の一時スイッチＲｓ２は、第５の変換回路３２０をオンにすることに用いられる。第２のコントローラ３４０は、第２のイネーブル信号Ｅｎ２を受信し、また第２のイネーブル信号Ｅｎ２によって、第４の制御信号Ｃｏｎ４を第２のアドレスジェネレータ３５０に出力し、第５の制御信号Ｃｏｎ５を第４の変換回路３１０及び第５の変換回路３２０に出力し、及び第６の制御信号Ｃｏｎ６を第６の変換回路３３０に出力することに用いられる。
【００２７】
上記のように、第４の変換回路３１０及び第５の変換回路３２０は、第５の制御信号Ｃｏｎ５によって、１次の逆ウェーブレット変換を行い、出力された逆高周波信号Ｓｉｈ及び逆低周波信号ＳｉｌをレジスタＲ５に記憶する。第２のアドレスジェネレータ３５０は、第４の制御信号Ｃｏｎ４によって第２のアドレス信号Ａｄｄ２を出力し、第２のアドレス信号Ａｄｄ２が順にレジスタＲ５、Ｒ６を介して、第６の変換回路３３０に伝送されて、これにより、第６の変換回路３３０が第２のアドレス信号Ａｄｄ２及び第６の制御信号Ｃｏｎ６によって２次の逆ウェーブレット変換を行う。第６の変換回路３３０は、またレジスタＲ７を介して、フィードバック信号を第２の一時スイッチＲｓ２に伝送することができ、これにより第２の一時スイッチＲｓ２は原画像信号Ｓｏにおける１フレーム画面が既に逆ウェーブレット変換を変換したことを確認する。
【００２８】
図４を参照して、図４は、本開示内容の一部の実施例によって示される画像強調方法のフロー図である。説明の便宜及び明確さのために、下記の画像強調方法は、図１〜図３に示される実施例を参照して説明されるが、それに限定されなく、当業者なら、本明細書の精神と範囲から逸脱することなく様々な変更や改良を加えることができる。図４に示すように、制御方法は、工程Ｓ４１０〜Ｓ４０６を含む。
【００２９】
まず、工程Ｓ４０１において、電子設備からの原画像信号Ｓｏを受信し、第１の変換回路１１０を介して原画像信号Ｓｏに対して１次のウェーブレット変換を行って、原画像信号Ｓｏを高周波画像信号Ｓｈ及び低周波画像信号Ｓｌに分離する。
【００３０】
工程Ｓ４０２において、第２の変換回路１２０を介して高周波画像信号Ｓｌに対して２次のウェーブレット変換を行って、高周波画像信号Ｓｌを高周波分離信号Ｓｈｈ及び中高周波分離信号Ｓｈｌに分離する。
【００３１】
工程Ｓ４０３において、第３の変換回路１３０を介して、低周波画像信号Ｓｌに対して２次のウェーブレット変換を行って、低周波画像信号Ｓｌを中低周波分離信号Ｓｌｈ及び低周波分離信号Ｓｌｌに分離する。
【００３２】
工程Ｓ４０４において、高周波強調回路１４０を介して、高周波分離信号Ｓｈｈに対して強調処理を行って、画像のシャープネスを強調するための強調高周波分離信号Ｓｅ１を発生する。また、他の一部の実施例において、更に低周波強調回路１５０を介して、低周波分離信号Ｓｌｌに対して強調処理を行って、強調低周波分離信号Ｓｅ２を発生することができる。
【００３３】
工程Ｓ４０５において、逆変換回路３００における第４の変換回路３１０を介して、強調高周波分離信号Ｓｅ１及び中高周波分離信号Ｓｈｌに対して１次の逆ウェーブレット変換を行って、逆高周波信号Ｓｉｈを発生する。同時に、逆変換回路３００における第５の変換回路３２０を介して、中低周波分離信号Ｓｌｈ及び低周波分離信号Ｓｌｌ（又は強調低周波分離信号Ｓｅ２）に対して１次の逆ウェーブレット変換を行って、逆低周波信号Ｓｉｌを発生する。
【００３４】
工程Ｓ４０６において、逆変換回路３００における第６の変換回路３３０を介して、逆高周波信号Ｓｉｈ及び逆低周波信号Ｓｉｌに対して２次の逆ウェーブレット変換を行って、強調画像信号Ｓｅを統合し出力する。
【００３５】
本開示内容の前記画像強調方法は、二段階のウェーブレット変換を介して、まず原画像信号Ｓｏを複数の周波数が異なる画像信号に分離してから、最高周波の高周波分離信号Ｓｈｈに対して強調を行って、このようにして、またすべての画像信号を統合した後で、出力された強調画像信号Ｓｅが原画像信号Ｓｏよりもはっきりとなり、大きなサイズの表示画面として投影するのがより簡単である。
【００３６】
本開示内容では、実施形態を前述の通りに開示したが、これは本発明を限定するものではなく、当業者であれば、本発明の精神と領域から逸脱しない限り、多様の変更や修飾を加えることができる。従って、本発明の保護範囲は、後の特許請求の範囲で指定した内容を基準とするものである。
【符号の説明】
【００３７】
１００  画像強調回路
１１０  第１の変換回路
１２０  第２の変換回路
１３０  第３の変換回路
１４０  高周波強調回路
１４０ａ  高周波フィルタリングユニット
１５０  低周波強調回路
１５０ａ  低周波フィルタリングユニット
１６０  第１のコントローラ
１７０  アドレスジェネレータ
２００  投影設備
２１０  プロセッサー
２２０  投影装置
３００  逆変換回路
３１０  第４の変換回路
３２０  第５の変換回路
３３０  第６の変換回路
３４０  第２のコントローラ
３５０  第２のアドレスジェネレータ
Ｓｏ  原画像信号
Ｓｈ  高周波画像信号
Ｓｌ  低周波画像信号
Ｓｈｈ  高周波分離信号
Ｓｈｌ  中高周波分離信号
Ｓｌｈ  中低周波分離信号
Ｓｌｌ  低周波分離信号
Ｓｅ１  強調高周波分離信号
Ｓｅ２  強調低周波分離信号
Ｓｅ  強調画像信号
Ｃｏｎ１  第１の制御信号
Ｃｏｎ２  第２の制御信号
Ｃｏｎ３  第３の制御信号
Ｃｏｎ４  第４の制御信号
Ｃｏｎ５  第５の制御信号
Ｃｏｎ６  第６の制御信号
Ａｄｄ１  第１のアドレス信号
Ａｄｄ２  第２のアドレス信号
Ｅｎ１  第１のイネーブル信号
Ｅｎ２  第２のイネーブル信号
Ｓｉｈ  逆高周波信号
Ｓｉｌ  逆低周波信号
Ｒ１〜Ｒ７  レジスタ
Ｒｓ１  第１の一時スイッチ
Ｒｓ２  第２の一時スイッチ
Ｓ４０１〜Ｓ４０６  方法工程
【図１】
2020009436.tif 000003
【図２】
2020009436.tif 000004
【図３】
2020009436.tif 000005
【図４】
2020009436.tif 000006